(57)【要約】【課題】映像配信システムにおいて、配信される映像の秘匿性を維持するセキュリティ技術を提供することを目的とする。【解決手段】携帯電話端末１がＷＥＢカメラ３１にアクセスすると、ＷＥＢカメラ３１は、有効期間の定められたＵＲＬを生成し、携帯電話端末１に通知する。携帯電話端末１より、当該ＵＲＬが中継サーバ２１に通知されると、中継サーバ２１は、当該ＵＲＬに対応するテレビ電話番号を生成し、テレビ電話番号と当該ＵＲＬを対応付けてデータベース２２に格納する。さらに、中継サーバ２１は、生成したテレビ電話番号を携帯電話端末１に通知する。携帯電話端末１が、通知されたテレビ電話番号にテレビ電話発信すると、中継サーバ２１は、データベースを参照してＵＲＬを取得し、ＷＥＢカメラ３１にアクセスする。ＷＥＢカメラ３１は、ＵＲＬが有効である場合には、映像を配信する。【選択図】図１
2008199500.tif 000002
【特許請求の範囲】
【請求項１】
インターネットを経由して映像を配信する配信システムと、
映像を閲覧する閲覧端末と、
前記閲覧端末からのテレビ電話発信を受けて前記閲覧端末との間でテレビ電話通信を行い、前記配信システムからインターネットを経由して受信した映像を、前記閲覧端末にテレビ電話通信を利用して中継送信する中継システムと、
を備え、
前記配信システムによって生成される前記中継システムが前記配信システムにアクセスするためのアクセス情報には、有効期間が定められていることを特徴とする映像配信システム。
【請求項２】
インターネットを経由して映像を配信する配信システムと、
映像を閲覧する閲覧端末と、
前記閲覧端末からのテレビ電話発信を受けて前記閲覧端末との間でテレビ電話通信を行い、前記配信システムからインターネットを経由して受信した映像を、前記閲覧端末にテレビ電話通信を利用して中継送信する中継システムと、
を備え、
前記配信システムは、
前記閲覧端末からの要求を受けて、有効期間の定められたアクセス情報を生成し、生成した前記アクセス情報を前記閲覧端末に送信する手段、
を有し、
前記閲覧端末は、
前記配信システムから取得した前記アクセス情報を前記中継システムに通知する手段、
を有し、
前記中継システムは、
前記閲覧端末から通知された前記アクセス情報に対応するアクセス電話番号を生成し、前記アクセス情報と前記アクセス電話番号とを対応付けて記憶手段に格納する手段と、
前記アクセス電話番号を前記閲覧端末に通知する手段と、
前記閲覧端末から前記アクセス電話番号に対するテレビ電話発信を受けると、前記記憶手段に格納されている前記アクセス情報に基づいて前記配信システムにアクセスし、前記配信システムから配信される映像を前記閲覧端末に中継送信する手段と、
を有することを特徴とする映像配信システム。
【請求項３】
請求項１または請求項２に記載の映像配信システムにおいて、
前記配信システムは、生成した前記アクセス情報に対して最初にアクセス要求を行った装置に対してのみ、映像の配信を行うことを特徴とする映像配信システム。
【請求項４】
請求項１ないし請求項３のいずれかに記載の映像配信システムにおいて、
前記配信システムは、
撮像装置、
を含み、
前記配信システムが、前記撮像装置で撮像した映像を配信することを特徴とする映像配信システム。
【請求項５】
請求項１ないし請求項４のいずれかに記載の映像配信システムにおいて、
前記アクセス情報がＵＲＬであることを特徴とする映像配信システム。
【発明の詳細な説明】
【技術分野】
【０００１】
本発明は、映像配信システムのセキュリティ技術に関する。
【背景技術】
【０００２】
ＷＥＢカメラや各種の映像機器を利用し、インターネットを介して映像を配信するシステムがある。ＷＥＢカメラは、映像の撮像機能と、ＷＷＷサーバ機能を備えており、ＨＴＴＰやその他のプロトコルを利用して映像の配信を行う。ユーザは、携帯電話端末、パソコンなどを利用して、所定のＵＲＬにアクセスすることで、ＷＥＢカメラが配信する映像を閲覧することが可能である。
【０００３】
ＷＥＢカメラを利用したシステムは、インターネットを経由して映像を配信するものである。したがって、配信する映像がプライベートなものである場合などは、配信映像にセキュリティを施す必要がある。そこで、ＷＥＢカメラに対するアクセスには、ユーザＩＤやパスワードを要求するのが一般的である。
【０００４】
【非特許文献１】“Ｖライブ”、[ｏｎｌｉｎｅ]、ＮＴＴＤｏＣｏＭｏ、[平成１９年１月３０日検索]、インターネット＜ＵＲＬ：ｈｔｔｐ：／／ｗｗｗ．ｎｔｔｄｏｃｏｍｏ．ｃｏ．ｊｐ／ｓｅｒｖｉｃｅ／ｉｍｏｄｅ／ｍａｋｅ／ｃｏｎｔｅｎｔ／ｖ＿ｌｉｖｅ／＞
【発明の開示】
【発明が解決しようとする課題】
【０００５】
携帯電話端末やパソコンが直接ＷＥＢカメラにアクセスするようなシステム構成であれば、上述したように、ユーザＩＤやパスワードによる認証を行う形態が一般的になっている。
【０００６】
しかし、途中で中継サーバが介するようなシステム構成である場合には、認証の仕組みに工夫が必要となる。上記非特許文献１で示した映像配信システムは、中継サーバが、配信装置から配信された映像を携帯電話端末に中継するという構成である。このように、映像の配信装置と閲覧装置が単純に接続される形態でない場合には、配信映像のセキュリティを維持するために、様々な工夫が必要である。
【０００７】
そこで、本発明は前記問題点に鑑み、映像配信システムにおいて、配信される映像の秘匿性を維持するセキュリティ技術を提供することを目的とする。
【課題を解決するための手段】
【０００８】
上記課題を解決するため、請求項１記載の発明は、インターネットを経由して映像を配信する配信システムと、映像を閲覧する閲覧端末と、前記閲覧端末からのテレビ電話発信を受けて前記閲覧端末との間でテレビ電話通信を行い、前記配信システムからインターネットを経由して受信した映像を、前記閲覧端末にテレビ電話通信を利用して中継送信する中継システムと、を備え、前記配信システムによって生成される前記中継システムが前記配信システムにアクセスするためのアクセス情報には、有効期間が定められていることを特徴とする。
【０００９】
請求項２記載の発明は、インターネットを経由して映像を配信する配信システムと、映像を閲覧する閲覧端末と、前記閲覧端末からのテレビ電話発信を受けて前記閲覧端末との間でテレビ電話通信を行い、前記配信システムからインターネットを経由して受信した映像を、前記閲覧端末にテレビ電話通信を利用して中継送信する中継システムと、を備え、前記配信システムは、前記閲覧端末からの要求を受けて、有効期間の定められたアクセス情報を生成し、生成した前記アクセス情報を前記閲覧端末に送信する手段、を有し、前記閲覧端末は、前記配信システムから取得した前記アクセス情報を前記中継システムに通知する手段、を有し、前記中継システムは、前記閲覧端末から通知された前記アクセス情報に対応するアクセス電話番号を生成し、前記アクセス情報と前記アクセス電話番号とを対応付けて記憶手段に格納する手段と、前記アクセス電話番号を前記閲覧端末に通知する手段と、前記閲覧端末から前記アクセス電話番号に対するテレビ電話発信を受けると、前記記憶手段に格納されている前記アクセス情報に基づいて前記配信システムにアクセスし、前記配信システムから配信される映像を前記閲覧端末に中継送信する手段と、を有することを特徴とする。
【００１０】
請求項３記載の発明は、請求項１または請求項２に記載の映像配信システムにおいて、前記配信システムは、生成した前記アクセス情報に対して最初にアクセス要求を行った装置に対してのみ、映像の配信を行うことを特徴とする。
【００１１】
請求項４記載の発明は、請求項１ないし請求項３のいずれかに記載の映像配信システムにおいて、前記配信システムは、撮像装置、を含み、前記配信システムが、前記撮像装置で撮像した映像を配信することを特徴とする。
【００１２】
請求項５記載の発明は、請求項１ないし請求項４のいずれかに記載の映像配信システムにおいて、前記アクセス情報がＵＲＬであることを特徴とする。
【発明の効果】
【００１３】
本発明の映像配信システムは、テレビ電話通信とインターネット通信を複合的に利用する映像配信システムであるが、インターネットを経由して映像を配信する配信装置に対するアクセス情報に有効期間が定められている。これにより、悪意ある第三者によって、アクセス情報が利用されることを防止でき、配信装置により配信される映像の秘匿性を確保することができる。
【００１４】
また、配信装置は、生成したアクセス情報に対して最初にアクセス要求を行った装置に対してのみ、映像の配信を行うので、悪意ある第三者によって、アクセス情報が利用されることをより効果的に防止でき、配信装置により配信される映像の秘匿性を確保することができる。
【発明を実施するための最良の形態】
【００１５】
以下、図面を参照しつつ本発明の実施の形態について説明する。図１は、本発明の実施の形態に係る映像配信システムの全体図である。映像配信システムは、配信された映像を閲覧する閲覧端末としての携帯電話端末１と、配信映像を中継する中継センタ２と、家屋３内の映像を撮像し、撮像した映像を配信する配信装置であるＷＥＢカメラ３１などを備えて構成される。
【００１６】
この実施の形態における映像配信システムは、ユーザが、自宅である家屋３内の映像を、外出先から閲覧するような用途に用いられる。ユーザは、外出中、時間や場所に制約されることなく、携帯電話端末１を利用して家屋３内の様子を閲覧することができるのである。
【００１７】
携帯電話端末１は、図２に示すように、ＷＥＢブラウザ１１、テレビ電話機能部１２、モニタ１３、操作部１４などを備えて構成される。なお、携帯電話端末１が備える音声通話処理部などは図示省略している。
【００１８】
ＷＥＢブラウザ１１は、ＨＴＴＰを利用し、ＷＷＷサーバとして機能する中継サーバ２１あるいはＷＥＢカメラ３１にアクセスして、ＷＥＢコンテンツを取得する。
【００１９】
テレビ電話機能部１２は、中継サーバ２１に対してテレビ電話発信を行い、中継サーバ２１との間で公衆電話回線網を利用してテレビ電話通信を行う。この映像配信システムは、携帯電話端末１が、テレビ電話通信機能を利用して配信映像を取得する点にも特徴がある。
【００２０】
中継センタ２には、中継サーバ２１が設置されている。中継サーバ２１は、図３に示すように、ＷＷＷサーバ２１１、電話番号管理部２１２、映像中継部２１３などを備えて構成されている。このように、本実施の形態の中継サーバ２１には、ＷＷＷサーバプログラムがインストールされており、ＷＷＷサーバとしての機能を備えている。ただし、中継センタ２内に、別のＷＷＷサーバを設け、映像中継処理を行うサーバと、ＷＥＢコンテンツを配信するサーバとを別サーバ構成としてもよい。言い換えると、本実施の形態においては、映像を中継送信する機能群が１台の中継サーバ２１により実現されているが、映像を中継送信する機能群が複数のサーバからなるシステムで構成されていてもよい。
【００２１】
電話番号管理部２１２は、映像閲覧用のテレビ電話番号と、映像閲覧用のＵＲＬ（Ｕｎｉｆｏｒｍ  Ｒｅｓｏｕｒｃｅ  Ｌｏｃａｔｏｒ）とを対応付けてＵＲＬデータベース２２において管理する。映像閲覧用のテレビ電話番号は、中継サーバ２１が着信可能な電話番号であり、映像閲覧用のＵＲＬは、ＷＥＢカメラ３１が応答可能なＵＲＬである。具体的には、電話番号管理部２１２は、携帯電話端末１から、映像閲覧用のＵＲＬを取得すると、そのＵＲＬに対応した映像閲覧用のテレビ電話番号を生成する。さらに、電話番号管理部２１２は、取得した映像閲覧用のＵＲＬと、生成した映像閲覧用のテレビ電話番号とを対応付けて、ＵＲＬデータベース２２に登録する処理を行うのである。
【００２２】
映像中継部２１３は、ＲＴＰ（Ｒｅａｌ−ｔｉｍｅ  Ｔｒａｎｓｐｏｒｔ  Ｐｒｏｔｏｃｏｌ）あるいはＲＴＳＰ（Ｒｅａｌ−ｔｉｍｅ  Ｓｔｒｅａｍｉｎｇ  Ｐｒｏｔｏｃｏｌ）などのプロトコルを利用し、インターネットを介して、ＷＥＢカメラ３１から配信される映像を受信する。映像中継部２１３は、また、携帯電話端末１との間でテレビ電話通信を行い、ＷＥＢカメラ３１から受信した映像を、携帯電話端末１に中継送信する機能を持つ。
【００２３】
ＷＥＢカメラ３１は、図４に示すように、ＷＷＷサーバ３１１、ＵＲＬ管理部３１２、カメラ３１３、映像配信部３１４を備えている。ＷＥＢカメラ３１は、ルータ３２を介してインターネットに接続されており、インターネット経由で、映像の配信やＷＥＢコンテンツの配信を可能としている。ＷＷＷサーバ３１１は、ＨＴＴＰを利用し、携帯電話端末１に対して、映像配信用のアクセス画面などを送信する。カメラ３１３は、ＣＣＤやＣＭＯＳなどの撮像素子と、画像処理部を備え、家屋３内の映像を撮像する。
【００２４】
ＵＲＬ管理部３１２は、有効期間が定められた映像閲覧用のＵＲＬを生成する。映像配信部３１４は、ＵＲＬ管理部３１２により生成された映像閲覧用のＵＲＬに対して、ＲＴＰあるいはＲＴＳＰなどのプロトコルを利用したアクセスを受けると、そのアクセス元に対して、カメラ３１３が撮像した映像を配信する。
【００２５】
なお、この実施の形態においては、ＷＥＢカメラ３１がＷＷＷサーバ機能と、ＲＴＰやＲＴＳＰを利用した映像配信機能の両方を備えているが、ＷＷＷサーバと映像配信サーバを別サーバ構成としてもよい。言い換えると、本実施の形態においては、映像を配信する機能群が１台のＷＥＢカメラ３１により実現されているが、映像を配信する機能群が複数の装置からなるシステムで構成されていてもよい。
【００２６】
以上の構成の映像配信システムにおける映像配信の処理フローについて図５を参照しながら説明する。
【００２７】
ユーザは、家屋３内にＷＥＢカメラ３１を設置し、ＷＥＢカメラ３１を稼動させた状態で、外出する。そして、外出先において、携帯電話端末１を操作し、ＷＥＢブラウザ１１を起動させる。
【００２８】
ユーザは、たとえば、事前にブックマークに登録しておいたＷＥＢカメラアクセス用のＵＲＬを選択し、ＷＥＢカメラ３１にアクセスする。なお、このアクセスは、パケット通信により行われる。ＷＥＢカメラ３１は、携帯電話端末１からのＨＴＴＰアクセスを受けると、認証用の画面を携帯電話端末１に送信する。これにより、携帯電話端末１のモニタ１３には、認証用画面が表示される。そして、ユーザが、操作部１４を操作して、ユーザＩＤおよびパスワードの入力を行う。これにより、携帯電話端末１よりＷＥＢカメラ３１に認証情報が送信される（ステップＳ１）。
【００２９】
なお、ユーザが入力するユーザＩＤやパスワードは、ユーザがＷＥＢカメラ３１を購入したときに付与されるものである。たとえば、ＷＥＢカメラ３１に同梱されるシートなどに記載されている。したがって、これら認証情報は、第三者が容易には取得することができない情報であり、ＷＥＢカメラ３１に対するアクセスのセキュリティが確保されている。
【００３０】
ステップＳ１において、携帯電話端末１よりＷＥＢカメラ３１に認証情報が送信されるが、この認証情報の送信は、映像閲覧用のＵＲＬの発行要求に対応している。ＷＥＢカメラ３１は、携帯電話端末１より認証情報を受信すると、認証処理を行う。そして、認証に成功すると、ＵＲＬ管理部３１２が、映像閲覧用のＵＲＬを生成する。具体的には、映像配信用のディレクトリ（アクセスパス）を生成する。なお、ＷＥＢカメラ３１の図示せぬ記憶手段には、予め、ユーザＩＤおよびパスワードが登録されている。ＷＥＢカメラ３１は、この登録されているユーザＩＤとパスワードを照合することで、認証処理を行う。
【００３１】
また、ＵＲＬ管理部３１２が生成する映像閲覧用のＵＲＬには、有効期間が設定される。たとえば、６０秒などの有効期間が設定されるのである。ＵＲＬ管理部３１２は、生成した映像閲覧用のＵＲＬの作成日時と有効期間を保持するメモリを備えている。ＵＲＬ管理部３１２は、映像閲覧用のＵＲＬに対応したディレクトリ（アクセスパス）を作成すると、作成した映像閲覧用のＵＲＬの作成日時と有効期間をメモリに記録するのである。そして、当該メモリを参照することで、作成した映像閲覧用のＵＲＬが有効であるか否かを判定するのである。そして、ＵＲＬ管理部３１２は、有効期間が経過した時点で、映像閲覧用のＵＲＬに対応したディレクトリ（アクセスパス）を削除するのである。
【００３２】
ＷＥＢカメラ３１は、映像閲覧用のＵＲＬを生成すると、ＷＷＷサーバ３１１により、携帯電話端末１に対してアクセス画面５１を送信する（ステップＳ２）。図６は、ステップＳ２において、ＷＥＢカメラ３１から携帯電話端末１に送信されるアクセス画面５１を示す図である。このアクセス画面５１は、携帯電話端末１のＷＥＢブラウザ１１により、モニタ１３に表示されるのである。
【００３３】
また、ステップＳ２でＷＥＢカメラ３１より携帯電話端末１に送信される情報には、映像閲覧用のＵＲＬが含まれている。たとえば、アクセス画面５１を表示させるＷＥＢコンテンツデータ（ＨＴＭＬやＸＭＬデータ）の中に、映像閲覧用のＵＲＬが埋め込まれている。この映像閲覧用のＵＲＬを、アクセス画面５１内に表示させるようにしてもよいが、特に、表示させる必要はない。
【００３４】
アクセス画面５１には、たとえば、図に示すように、「認証に成功しました。映像中継サーバに接続します。」といったメッセージとともに、「ＯＫ」、「キャンセル」ボタンが表示される。
【００３５】
ユーザが、ここで、操作部１４を操作して、「ＯＫ」ボタンを選択すると、携帯電話端末１より中継サーバ２１に対して、映像閲覧用のＵＲＬを登録する処理が行われる（ステップＳ３）。具体的には、アクセス画面５１の「ＯＫ」ボタンをクリックすると、携帯電話端末１がＷＷＷサーバとして機能する中継サーバ２１にＨＴＴＰアクセスを行うように、「ＯＫ」ボタンに、コマンドが埋め込まれている。また、このＨＴＴＰアクセス情報には、ＷＥＢカメラ３１から受信した映像閲覧用のＵＲＬが含まれている。つまり、ＷＥＢカメラ３１で発行された映像閲覧用ＵＲＬが、携帯電話端末１を介して、中継サーバ２１に送信されるのである。
【００３６】
中継サーバ２１が、携帯電話端末１から映像閲覧用のＵＲＬを受信すると、テレビ電話番号管理部２１２により、映像閲覧用のテレビ電話番号を生成する。そして、図３に示すように、映像閲覧用のテレビ電話番号（ＴＥＬ  Ｎｏ．）と、映像閲覧用のＵＲＬ（ｍｏｖｉｅ  ＵＲＬ）とを対応付けて、ＵＲＬデータベース２２に格納する。また、中継サーバ２１が生成する映像閲覧用のテレビ電話番号（ＴＥＬ  Ｎｏ．）についても、有効期間が設定されている。そして、その有効期間が経過すると、ＵＲＬデータベース２２に登録されていた対応データを破棄するのである。なお、ＷＥＢカメラ３１が設定する映像閲覧用ＵＲＬの有効期間と、中継サーバ２１が生成する映像閲覧用の電話番号の有効期間とは、自由に設定すればよいが、同程度の期間を設定する運用が考えられる。
【００３７】
電話番号管理部２１２によって、映像閲覧用のテレビ電話番号が生成され、データベースに登録されると、次に、携帯電話端末１に対して、ＷＷＷサーバ２１１により、アクセス画面５２が送信される（ステップＳ４）。図７は、ステップＳ４において、中継サーバ２１から携帯電話端末１に送信されるアクセス画面５２を示す図である。このアクセス画面５２は、携帯電話端末１のＷＥＢブラウザ１１により、モニタ１３に表示されるのである。
【００３８】
また、ステップＳ４で中継サーバ２１より携帯電話端末１に送信される情報には、映像閲覧用のテレビ電話番号が含まれている。たとえば、アクセス画面５２を表示させるＷＥＢコンテンツデータ（ＨＴＭＬやＸＭＬデータ）の中に、映像閲覧用のテレビ電話番号が埋め込まれている。このテレビ電話番号を、アクセス画面５２内に表示させるようにしてもよいが、特に、表示させる必要はない。
【００３９】
アクセス画面５２には、たとえば、図に示すように、「映像を配信しますので、テレビ電話発信して下さい。」といったメッセージとともに、「ＯＫ」、「キャンセル」ボタンが表示される。
【００４０】
ユーザが、ここで、操作部１４を操作して、「ＯＫ」ボタンを選択すると、携帯電話端末１より中継サーバ２１に対して、テレビ電話発信が行われる（ステップＳ５）。具体的には、アクセス画面５２の「ＯＫ」ボタンをクリックすると、携帯電話端末１が、ステップＳ４で受信したテレビ電話番号に対してテレビ電話発信を行うように、「ＯＫ」ボタンに、コマンドが埋め込まれている。
【００４１】
中継サーバ２１は、携帯電話端末１からテレビ電話発信を受けると、ＵＲＬデータベース２２を参照し、着信したテレビ電話番号に対応付けられている映像閲覧用のＵＲＬを取得する。そして、ＵＲＬデータベース２２から取得した映像閲覧用のＵＲＬを指定することで、ＲＴＰあるいはＲＴＳＰなどのプロトコルを利用して、インターネットを介して、ＷＥＢカメラ３１にアクセスする（ステップＳ６）。なお、テレビ電話の着信を受けたとき、既に、映像閲覧用のテレビ電話番号の有効期間が経過している場合には、ＵＲＬデータベース２２において、当該テレビ電話番号の情報が削除されている。したがって、中継サーバ２１は、映像閲覧用のＵＲＬを取得することができない。この場合には、携帯電話端末１に対してエラー通知を行う。
【００４２】
ＷＥＢカメラ３１は、中継サーバ２１からの映像配信要求を受けると、指定されたＵＲＬが有効である場合には、カメラ３１３が撮像した映像を中継サーバ２１に対して配信する（ステップＳ７）。もし、指定されたＵＲＬの有効期間が経過しており、既に、当該ＵＲＬに対するディレクトリ（アクセスパス）が削除されている場合には、中継サーバ２１にエラー通知を行う。中継サーバ２１は、ＷＥＢカメラ３１からエラー通知を受けると、携帯電話端末１に対してエラー通知を行う。たとえば、携帯電話端末１のモニタ１３に、「映像閲覧用のＵＲＬの有効期限が切れています。再度、ＷＥＢカメラにアクセスして下さい。」といったようなメッセージが表示される。このように、映像閲覧用のＵＲＬに有効期間を設定することで、悪意ある第三者が、たとえ不正に映像閲覧用のＵＲＬを取得した場合にも、配信映像を閲覧することを困難とし、配信映像の秘匿性を確保することが可能である。
【００４３】
一方、ＷＥＢカメラ３１より中継サーバ２１に映像が配信されると、中継サーバ２１は、映像中継部２１３により、受信した映像を携帯電話端末１に中継送信する（ステップＳ８）。このとき、中継サーバ２１は、テレビ電話通信を利用して、ＷＥＢカメラ３１から配信されている映像を、携帯電話端末１に中継送信するのである。
【００４４】
このようにして、携帯電話端末１を操作しているユーザは、家屋３内の様子を閲覧することが可能となる。
【００４５】
また、ＷＥＢカメラ３１は、映像閲覧用のＵＲＬを指定したアクセスを受けると、ＲＴＰあるいはＲＴＳＰのセッションを確立して、映像を配信するが、複数のセッションを確立しないように設定されている。言い換えると、最初にＲＴＰあるいはＲＴＳＰのアクセス要求を行った端末との間で、ＲＴＰあるいはＲＴＳＰのセッションを確立して映像の配信を行うと、さらに別の端末との間ではセッションを確立することを拒否するのである。このような制御を行うことで、悪意ある第三者が、不正に映像閲覧用のＵＲＬを取得した場合にも、配信映像を閲覧することを困難とし、配信映像の秘匿性を確保することが可能である。
【００４６】
上記実施の形態においては、ＷＥＢカメラ３１が中継サーバ２１に対してＲＴＰあるいはＲＴＳＰなどを利用して映像を配信する場合を説明したが、これは一例である。たとえば、ＨＴＴＰを利用して映像を配信してもよい。
【図面の簡単な説明】
【００４７】
【図１】本実施の形態に係る映像配信システムの全体図である。
【図２】携帯電話端末の機能ブロック図である。
【図３】中継サーバの機能ブロック図である。
【図４】ＷＥＢカメラの機能ブロック図である。
【図５】映像配信の処理シーケンス図である。
【図６】映像中継サーバにアクセスするためのアクセス画面を示す図である。
【図７】テレビ電話発信を行うためのアクセス画面を示す図である。
【符号の説明】
【００４８】
１    携帯電話端末
２    中継センタ
３    家屋
２１  中継サーバ
３１  ＷＥＢカメラ
【図１】
2008199500.tif 000003
【図２】
2008199500.tif 000004
【図３】
2008199500.tif 000005
【図４】
2008199500.tif 000006
【図５】
2008199500.tif 000007
【図６】
2008199500.tif 000008
【図７】
2008199500.tif 000009